(57)【特許請求の範囲】
【請求項１】
楽器側キャスタが設けられた楽器本体の背面側の左部及び右部にそれぞれ取り付け可能で、各々の下部に装置側キャスタを有した第１、第２の装置からなり、前記楽器本体の転倒を防止するアップライト型楽器の転倒防止装置であって、
前記第１、第２の装置のうち少なくとも一方は、
前記楽器本体に取り付けられた状態で、前後方向に延在する上側水平部と、
前記楽器本体に取り付けられた状態で、前記上側水平部よりも低い位置で前後方向に延在する下側水平部と、
前記上側水平部の一端部に設けられ、前記楽器本体の背面であって前記楽器本体の重心よりも高い位置に直接または間接に取り付け固定されるための上側取付部と、
前記下側水平部の一端部に設けられ、前記楽器本体の背面であって前記楽器本体の下部に直接または間接に取り付け固定されるための下側取付部と、
前記上側水平部の他端部及び前記下側水平部の他端部に連結され、前記楽器本体に取り付けられた状態で、鉛直方向の成分を含む方向に延在する縦棒部と、
一端部に、前記楽器本体の背面であって前記楽器本体の下部に直接または間接に取り付け固定されるための補強棒取付部を有すると共に、他端部が前記縦棒部の下部に連結された補強棒とを有し、
前記縦棒部の上部及び／又は前記上側水平部を把持して前記楽器本体を付勢することで、前記装置側キャスタと前記楽器側キャスタとの協働により前記楽器本体が床面上を移動するように構成されたことを特徴とするアップライト型楽器の転倒防止装置。
【請求項２】
前記楽器本体の下部における、前記補強棒取付部が取り付けられる位置と前記下側水平部の前記下側取付部が取り付けられる位置とは、左右方向において異なっていることを特徴とする請求項１記載のアップライト型楽器の転倒防止装置。
【請求項３】
前記下側取付部は、前記楽器本体の支柱の背面に対して取り付け可能であり、前記補強棒取付部は、前記楽器本体の大土台の背面に対して取り付け可能であることを特徴とする請求項１または２記載のアップライト型楽器の転倒防止装置。
【請求項４】
前記楽器本体の少なくとも背面に締結可能な介装部材を有し、前記上側取付部、前記下側取付部及び前記補強棒取付部は、前記介装部材に対して締結可能であることを特徴とする請求項１〜３のいずれか１項に記載のアップライト型楽器の転倒防止装置。
【請求項５】
楽器側キャスタが設けられた楽器本体の背面側の左部及び右部にそれぞれ取り付け可能で、各々の下部に装置側キャスタを有した第１、第２の装置からなり、前記楽器本体の転倒を防止するアップライト型楽器の転倒防止装置であって、
前記第１、第２の装置はいずれも、
前記楽器本体に取り付けられた状態で、前後方向に延在する上側水平部と、
前記楽器本体に取り付けられた状態で、前記上側水平部よりも低い位置で前後方向に延在する下側水平部と、
前記上側水平部の一端部に設けられ、前記楽器本体の背面であって前記楽器本体の重心よりも高い位置に直接または間接に取り付け固定されるための上側取付部と、
前記下側水平部の一端部に設けられ、前記楽器本体の支柱の背面であって前記楽器本体の下部に直接または間接に取り付け固定されるための下側取付部と、
前記上側水平部の他端部及び前記下側水平部の他端部に連結され、前記楽器本体に取り付けられた状態で、鉛直方向の成分を含む方向に延在する縦棒部とを有し、
前記縦棒部の上部及び／又は前記上側水平部を把持して前記楽器本体を付勢することで、前記装置側キャスタと前記楽器側キャスタとの協働により前記楽器本体が床面上を移動するように構成され、
前記背面に締結可能な介装部材を有し、前記上側取付部及び下側取付部は、前記介装部材に対して締結可能であり、
前記介装部材はさらに、前記支柱の左右方向内側面及び前記楽器本体の大土台の下面の双方にも締結可能であることを特徴とするアップライト型楽器の転倒防止装置。
【発明の詳細な説明】
【技術分野】
【０００１】
本発明は、アップライト型楽器の転倒防止装置に関する。
【背景技術】
【０００２】
従来、アップライトピアノ等のアップライト型楽器は、奥行きに比べて背が高く、しかも重心が後部に偏っているため、前後方向、特に後方に倒れやすい。そこで、アップライト型楽器の主に後方への転倒を防止するための数々の装置が提案されている。
【０００３】
例えば、特許文献１では、ピアノ本体の背面下部に、キャスタ付きの転倒防止器具が取り付けられる。特許文献２では、２本の縦金属管がピアノの背面に固定される。特許文献３では、Ｌ字状に曲げた鋼材の長辺と短辺とをシャフトで連結すると共に、長辺をピアノ背面に固定し、短辺を床面に接触させる。特許文献４では、上下方向に伸縮自在の装置をピアノ背面の上下方向の複数の部位に係合させる。
【先行技術文献】
【特許文献】
【０００４】
【特許文献１】特許第３６１８５２３号公報
【特許文献２】実用新案登録第３０２４２２９号公報
【特許文献３】実用新案登録第３１０１８９０号公報
【特許文献４】特開２００１−３０６０６１号公報
【発明の概要】
【発明が解決しようとする課題】
【０００５】
アップライト型楽器は、屋内で位置を移動させたい場合がある。特許文献１の転倒防止装置はキャスタを有し、ピアノに付いているキャスタと共に床面に接地するので、ピアノを移動させることが可能である。この転倒防止装置は低い位置に取り付けられているので、移動させる際には通常、ピアノ本体の背面に設けられた支柱ハンドルを把持、あるいはピアノ本体の上部の適所を押し引きにより付勢することになる。
【０００６】
しかし、支柱ハンドルは通常、ピアノ本体背面において左右方向に沿って設けられているので、支柱ハンドルを把持した移動操作においては、ピアノを前後以外の方向に付勢しづらく、所望の態様でピアノを移動させることが容易でない。１人での移動操作は一層困難である。
【０００７】
また、ピアノ本体の重心が元々高い位置にあることから、支柱ハンドルやピアノ本体上部を後方に移動操作するとピアノが傾きやすく、キャスタが適切に転がらずピアノを円滑に移動させることが容易でない。
【０００８】
ところで仮に、不測の事情により、ピアノ本体が後方に転倒してしまう事態が生じた場合においても、ピアノの機能保護の観点からは、ピアノ本体が接地しないことが望ましく、ましてピアノ本体が天地逆に近くなる等、ピアノ本体上部が接地することは避けたい。
【０００９】
本発明は上記従来技術の問題を解決するためになされたものであり、その目的は、楽器本体の転倒を防止しつつ容易な操作で楽器本体を移動させることができるアップライト型楽器の転倒防止装置を提供することにある。
【課題を解決するための手段】
【００１０】
上記目的を達成するために本発明の請求項１のアップライト型楽器の転倒防止装置は、楽器側キャスタ（１５）が設けられた楽器本体（１０）の背面側の左部及び右部にそれぞれ取り付け可能で、各々の下部に装置側キャスタ（２９）を有した第１、第２の装置（２０）からなり、前記楽器本体の転倒を防止するアップライト型楽器の転倒防止装置であって、前記第１、第２の装置のうち少なくとも一方は、前記楽器本体に取り付けられた状態で、前後方向に延在する上側水平部（２２）と、前記楽器本体に取り付けられた状態で、前記上側水平部よりも低い位置で前後方向に延在する下側水平部（２３）と、前記上側水平部の一端部（２２ａ）に設けられ、前記楽器本体の背面であって前記楽器本体の重心（Ｇ）よりも高い位置に直接または間接に取り付け固定されるための上側取付部（２５）と、前記下側水平部の一端部（２３ａ）に設けられ、前記楽器本体の背面であって前記楽器本体の下部に直接または間接に取り付け固定されるための下側取付部（２６）と、前記上側水平部の他端部（２２ｂ）及び前記下側水平部の他端部（２３ｂ）に連結され、前記楽器本体に取り付けられた状態で、鉛直方向の成分を含む方向に延在する縦棒部（２１）と、一端部に、前記楽器本体の背面であって前記楽器本体の下部に直接または間接に取り付け固定されるための補強棒取付部を有すると共に、他端部が前記縦棒部の下部に連結された補強棒とを有し、前記縦棒部の上部（２１ａ）及び／又は前記上側水平部を把持して前記楽器本体を付勢することで、前記装置側キャスタと前記楽器側キャスタとの協働により前記楽器本体が床面（１６）上を移動するように構成されたことを特徴とする。
【００１３】
好ましくは、前記楽器本体の下部における、前記補強棒取付部が取り付けられる位置と前記下側水平部の前記下側取付部が取り付けられる位置とは、左右方向において異なっている（請求項２）。
【００１４】
好ましくは、前記下側取付部は、前記楽器本体の支柱の背面に対して取り付け可能であり、前記補強棒取付部は、前記楽器本体の大土台の背面（１４ａ）に対して取り付け可能である（請求項３）。
【００１５】
好ましくは、前記楽器本体の少なくとも背面に締結可能な介装部材（４０）を有し、前記上側取付部、前記下側取付部及び前記補強棒取付部は、前記介装部材に対して締結可能である（請求項４）。
上記目的を達成するために本発明の請求項５のアップライト型楽器の転倒防止装置は、楽器側キャスタが設けられた楽器本体の背面側の左部及び右部にそれぞれ取り付け可能で、各々の下部に装置側キャスタを有した第１、第２の装置からなり、前記楽器本体の転倒を防止するアップライト型楽器の転倒防止装置であって、前記第１、第２の装置はいずれも、前記楽器本体に取り付けられた状態で、前後方向に延在する上側水平部と、前記楽器本体に取り付けられた状態で、前記上側水平部よりも低い位置で前後方向に延在する下側水平部と、前記上側水平部の一端部に設けられ、前記楽器本体の背面であって前記楽器本体の重心よりも高い位置に直接または間接に取り付け固定されるための上側取付部と、前記下側水平部の一端部に設けられ、前記楽器本体の支柱の背面であって前記楽器本体の下部に直接または間接に取り付け固定されるための下側取付部と、前記上側水平部の他端部及び前記下側水平部の他端部に連結され、前記楽器本体に取り付けられた状態で、鉛直方向の成分を含む方向に延在する縦棒部とを有し、前記縦棒部の上部及び／又は前記上側水平部を把持して前記楽器本体を付勢することで、前記装置側キャスタと前記楽器側キャスタとの協働により前記楽器本体が床面上を移動するように構成され、前記背面に締結可能な介装部材を有し、前記上側取付部及び下側取付部は、前記介装部材に対して締結可能であり、前記介装部材はさらに、前記支柱の左右方向内側面及び前記楽器本体の大土台の下面の双方にも締結可能であることを特徴とするアップライト型楽器の転倒防止装置。
【００１６】
好ましくは、次のように構成してもよい。前記装置側キャスタは、前記縦棒部の下部（２１ｂ）に取り付けられている。これにより、装置側キャスタの位置を楽器側キャスタから遠くして、転倒防止機能を高めると共に、安定して移動させることができる。また、前記第１、第２の装置は、双方とも、前記上側水平部、前記下側水平部及び前記縦棒部を有する。これにより、転倒時においても楽器上部が接地しにくくすることができる。また、前記上側水平部の前記他端部と前記縦棒部との連結部（Ｒ）は、前記楽器本体に取り付けられた状態における側面視で、滑らかに湾曲している。これにより、転倒防止装置の上部を把持した移動操作をしやすくすることができる。
【００１７】
なお、上記括弧内の符号は例示である。
【発明の効果】
【００１８】
本発明によれば、楽器本体の転倒を防止しつつ容易な操作で楽器本体を移動させることができる。
【００１９】
請求項４によれば、強度及び耐久性を高めることができる。また、介装部材を固定しておくことで、転倒防止装置の着脱を容易にすることができる。
【００２０】
請求項３によれば、強度及び耐久性を高めることができる。
【００２１】
請求項２によれば、左右方向への付勢力に対して強度及び耐久性を高めることができる。
【図面の簡単な説明】
【００２２】
【図１】本発明の第１の実施の形態に係るアップライト型楽器の転倒防止装置とそれが装着される楽器の背面図である。
【図２】本転倒防止装置が装着された状態のアップライト型楽器の右側面図である。
【図３】キャスタを除く１つの装着ユニットの構成を示す上面図、側面図、背面図である。
【図４】支柱の背面に対する装着ユニットの装着方法を説明するための分解図である。
【図５】本発明の第２の実施の形態に係る転倒防止装置の背面図、分解側面図、側面図である。
【図６】本発明の第３の実施の形態に係る転倒防止装置の背面図、分解側面図、側面図である。
【図７】本発明の第４の実施の形態に係る転倒防止装置の分解側面図、側面図である。
【図８】転倒防止装置の背面図、Ｂ−Ｂ線に沿う断面図である。
【図９】介装金具の側面図、背面図、装着ユニットの側面図、背面図である。
【発明を実施するための形態】
【００２３】
以下、本発明の実施の形態を図面を参照して説明する。
【００２４】
（第１の実施の形態）
図１は、本発明の第１の実施の形態に係るアップライト型楽器の転倒防止装置とそれが装着される楽器の背面図である。図２は、本転倒防止装置が装着された状態のアップライト型楽器の右側面図であり、一部を図１のＡ矢視により示している。
【００２５】
本転倒防止装置は、一対の装着ユニット２０からなる。装着ユニット２０が装着されるアップライト型楽器として、鍵盤部ＫＢを有したアップライトピアノを例示するが、アップライト型楽器であればよく、弦のないオルガンや電子楽器であってもよい。以降、鍵盤部ＫＢがある側（図２の左側）を前側とし、左右方向については、奏者から見て呼称する。従って、図１の右側が楽器の左側である。
【００２６】
図１に示すように、アップライト型楽器の楽器本体１０の左右両側部には、親板１１が配設される。楽器本体１０の背部１０ａにおいて、複数の支柱が設けられ、そのうち２本の支柱１２は、左右の親板１１の左右方向内側に配設される。楽器本体１０の背部１０ａにおいて、左右の支柱１２には、左右方向に沿って把持部１３が配設される。楽器本体１０の底部後部には、大土台１４が配設される。楽器本体１０の前部下部の左右端部と大土台１４の下部の左右端部には、キャスタ１５が設けられている（図１、図２）。
【００２７】
なお、楽器本体１０の構成自体は一般的なものであり、本転倒防止装置は、このような一般的な構成のアップライト型楽器に後付けで取り付け可能なものである。従って、キャスタ１５は、楽器本体１０の納品時に装着されていなくてもよく、本転倒防止装置を装着する段階で装着してもよい。
【００２８】
図２に示すように、楽器本体１０の上部１０ｂはグランドピアノに比し高い。また、重心Ｇも高く、鍵盤部ＫＢの配設領域とほぼ同じであり、前後方向については前後方向中央部よりも後方に位置する。
【００２９】
図１に示すように、装着ユニット２０は、左右の支柱１２の背面１２ａにそれぞれ装着固定される。本実施の形態では、左右の装着ユニット２０の構成が共通であるので、特に区別しない説明は双方に適用される。図２では、図１のＡ矢視により、奏者から見て左側の装着ユニット２０が現れている。
【００３０】
図３（ａ）〜（ｃ）は、キャスタを除く１つの装着ユニット２０の構成を示す上面図、側面図、背面図である。装着ユニット２０は金属で一体に構成される。装着ユニット２０は、縦棒部２１、上側水平部２２、下側水平部２３を有する。縦棒部２１と上側水平部２２とは、パイプ状に形成された金属管を比較的大きな曲率半径で屈曲させて一体に形成される。側面視において、縦棒部２１の上部２１ａと上側水平部２２の後部２２ｂとの連結部は、滑らかに湾曲したＲ形状の湾曲部Ｒとなっている（図３（ｂ）参照）。
【００３１】
また、縦棒部２１の下部２１ｂの前側に下側水平部２３の後部２３ｂが溶接により固定され、さらに、下側水平部２３の下側において縦棒部２１と下側水平部２３とがリブ２４で溶接により接続され補強されている。上側水平部２２、下側水平部２３の各前端部２２ａ、２３ａには、平板状の取付部２５、２６がそれぞれ溶接により固定されている（図３（ａ）参照）。また、縦棒部２１の下端には、平板状の取付部２７が溶接により固定されている。取付部２５、２６には、貫通穴である締結穴２８がそれぞれ４個形成されている（図３（ｃ））。取付部２７には、貫通穴であるキャスタ取り付け穴３０が４個形成されている（図３（ａ））。
【００３２】
図４は、支柱１２の背面１２ａに対する装着ユニット２０の装着方法を説明するための分解図である。取付部２７には、双輪キャスタ２９が装着される。すなわち、取付部２７のキャスタ取り付け穴３０を介して、上側に配置するナット３３に下側からボルト３２で双輪キャスタ２９を締結固定する。双輪キャスタ２９は、ロック付きであり、ロックにより旋回及び回転を停止させることができる。
【００３３】
キャスタ１５が取り付けられ床面１６に設置された楽器本体１０の背面側から、双輪キャスタ２９が装着された装着ユニット２０を装着する。縦棒部２１を鉛直方向に沿う姿勢にすると、取付部２５、２６は上下及び左右方向に平行となり、取付部２７は水平方向に平行となる。双輪キャスタ２９を床面１６に当接させつつ、取付部２５、２６の前面を支柱１２の背面１２ａに当接させる。その状態で、取付部２５、２６の各締結穴２８を介して、支柱１２にドリルで下穴を穿設する。そして、穿設した下穴に対して、各締結穴２８を介して、木ネジ（タッピンネジ）３１を螺合する。
【００３４】
これにより、装着ユニット２０が支柱１２の背面１２ａに装着固定される。ところで、取付部２５が取り付けられる支柱１２の位置は、楽器本体１０の重心Ｇ（図２参照）よりも高い位置である。一方、取付部２６が取り付けられる支柱１２の位置は、支柱１２の下部である。装着ユニット２０の取付部２５の高さについては、一般的なアップライト型楽器の重心Ｇよりも十分に高い位置に設定し、汎用性を高めるのがよい。
【００３５】
装着ユニット２０の装着状態においては、上側水平部２２は、後部２２ｂより前側の部分が前後方向に延在し、下側水平部２３は、上側水平部２２より低い位置において、後部２３ｂより前側の部分が前後方向に延在する。縦棒部２１は鉛直方向に延在する。装着ユニット２０が左右共に装着されると、楽器本体１０の４つのキャスタ１５と装着ユニット２０の２つの双輪キャスタ２９との協働により、楽器本体１０が床面１６上に支持された状態となる。
【００３６】
装着ユニット２０が装着された楽器本体１０を移動させるには、通常、縦棒部２１の上部２１ａまたは上側水平部２２、乃至、湾曲部Ｒを把持して所望の方向に付勢する。それにより、キャスタ１５と双輪キャスタ２９との協働により、楽器本体１０が床面１６上を円滑に移動する。特に、双輪キャスタ２９が双輪型であり、旋回が軽いので、方向変換が容易である。移動操作は、左右の装着ユニット２０のうちいずれか一方のみを操作することでも可能である。また、楽器本体１０を、移動後に安定させて設置状態とするためには、双輪キャスタ２９をロックしておくのがよい。
【００３７】
本実施の形態によれば、装着ユニット２０を設けたので、楽器本体１０の転倒を防止しつつ容易な操作で楽器本体１０を移動させることができる。特に、湾曲部Ｒを設けたので、転倒防止装置の上部を把持した運搬作業をしやすくすることができる。
【００３８】
また、上側水平部２２及び下側水平部２３には、前後方向に延びる領域を設け、縦棒部２１を楽器本体１０の背部１０ａから後方に遠い位置に位置させていることから、双輪キャスタ２９の位置も楽器本体１０から離れた位置にある。これにより、楽器本体１０の転倒防止機能を高めると共に、安定して移動させることができる。
【００３９】
さらに、装着ユニット２０は、左右の支柱１２に固定され、楽器本体１０における左右の端部に位置する。これにより、状況に応じて所望の方の装着ユニット２０を所望の方向に付勢することで、楽器本体１０の姿勢をあらゆる方向に変化させるのが容易である。１人での移動操作も容易である。
【００４０】
また、仮に楽器本体１０が背面側に転倒した場合でも、ほとんどの場合、楽器本体１０は装着ユニット２０により支持されることによって接地することがなく保護される。しかも、上側水平部２２は重心Ｇよりも高いので、仮に楽器本体１０が後方に転倒した場合でも、楽器本体１０の上部１０ｂが接地しにくく、さらに、転倒時に、２つの装着ユニット２０が楽器本体１０を支持することにより、楽器本体１０の背部１０ａと床面１６との間に空間が確保される。従って、楽器本体１０自体が保護されるだけでなく、楽器本体１０に人が挟まれるような危険も小さくなる。上側水平部２２が高い位置にあることは装着ユニット２０自体の視認性の向上にも繋がり、人が装着ユニット２０に衝突するようなことも回避される。
【００４１】
（第２の実施の形態）
図５（ａ）〜（ｃ）は、本発明の第２の実施の形態に係る転倒防止装置の背面図、分解側面図、側面図である。第１の実施の形態では、装着ユニット２０は支柱１２に直接固定（直付け）したが、第２の実施の形態では、支柱１２と装着ユニット２０との間に介装金具を介在させて間接的に固定する。第１の実施の形態と同様に、装着ユニット２０は同一構成のものが一対設けられる。
【００４２】
本実施の形態における装着ユニット２０は、第１の実施の形態で示したものに対して、下側水平部２３の位置がやや上方となるのに伴いリブ２４の形状が異なる。また、取付部２５、２６が、支柱１２ではなく介装金具４０に対して締結固定される構成とするため、それらの形状（大きさ）や締結穴が異なる。それ以外の構成は同じである。
【００４３】
介装金具４０は、金属で一体に形成され、鉛直部４３と、鉛直部４３の下部から前方に延設される水平延設部４４とを有し、側面視でＬ字状に構成される（図５（ｂ））。鉛直部４３、水平延設部４４にはそれぞれ、締結穴２８（図３（ｂ））と同様の締結穴が複数形成される。
【００４４】
装着ユニット２０を装着するに際し、介装金具４０を先に支柱１２に固定する。介装金具４０の鉛直部４３の前面を支柱１２の背面１２ａに当接させると共に、水平延設部４４の上面を大土台１４の下面１４ｂに当接させる。その状態で、各締結穴を介して、支柱１２及び大土台１４にドリルで下穴を穿設する。そして、穿設した下穴に対して、各締結穴を介して、木ネジ（タッピンネジ）４１を螺合する。これにより、まず、介装金具４０が楽器本体１０に固定される。
【００４５】
次に、楽器本体１０に固定された介装金具４０に対して、装着ユニット２０の取付部２５、２６を複数のボルト４２で固定する。ここで、介装金具４０には、ボルト４２が螺合する雌ねじ（図９（ｂ）に示す雌ねじ４７と同等）が形成されており、取付部２５、２６には、ボルト４２が挿通される締結穴（図９（ｄ）に示す締結穴４８と同等）が形成されている。これにより、装着ユニット２０が介装金具４０を介して楽器本体１０に固定される（図５（ａ）、（ｃ））。
【００４６】
ボルト４２が挿通されるための取付部２５、２６に形成される締結穴は、上下方向の長穴とするのが好ましい。これにより、介装金具４０に対する装着ユニット２０の上下方向の位置の自由度が確保され、双輪キャスタ２９を床面１６に適切に接地させることができる。
【００４７】
本実施の形態によれば、楽器本体１０の転倒を防止しつつ容易な操作で楽器本体１０を移動させることに関し、第１の実施の形態と同様の効果を奏することができる。
【００４８】
また、装着ユニット２０を楽器本体１０に直付けするのに比べ、介装金具４０が介在するので、装着ユニット２０の取り付け強度が保たれ、耐久性が高くなる。しかも、介装金具４０は大土台１４の下面１４ｂにも締結されるので、一層強度が高い。
【００４９】
さらに、本実施の形態では、介装金具４０を一旦楽器本体１０に取り付ければ、その後は、介装金具４０に対して装着ユニット２０の装着、取り外しを、ボルト４２の挿脱により行えばよい。従って、装着ユニット２０の着脱が容易となる。
【００５０】
（第３の実施の形態）
図６（ａ）〜（ｃ）は、本発明の第３の実施の形態に係る転倒防止装置の背面図、分解側面図、側面図である。第２の実施の形態では、介装金具４０を支柱１２の背面１２ａと大土台１４の下面１４ｂとに固定したが、第３の実施の形態では、支柱１２の背面１２ａと支柱１２の左右方向内側面に固定する。従って、介装金具４０の構成が第２の実施の形態のものとは異なる。また、本実施の形態における装着ユニット２０は、第２の実施の形態のものに対してリブ２４の形状が若干異なるが、その他の部分の構成は第２の実施の形態のものと同じである。本実施の形態では、左右の装着ユニット２０は、左右対称に構成される。図６では、奏者から見て左側の装着ユニット２０が示されている。
【００５１】
介装金具４０は、金属で一体に形成され、鉛直部４３と、鉛直部４３の上部及び下部から前方に延設される垂直延設部４５とを有する。鉛直部４３、垂直延設部４５にはそれぞれ、締結穴２８（図３（ｂ））と同様の締結穴が複数形成される。
【００５２】
装着ユニット２０を装着するに際し、介装金具４０を先に支柱１２に固定する。介装金具４０の鉛直部４３の前面を支柱１２の背面１２ａに当接させると共に、垂直延設部４５の側面を支柱１２の左右方向における内側面１２ｂに当接させる。ここで、図６（ａ）では、楽器本体１０の左側部を示すので、内側面１２ｂは、奏者から見て左側の支柱１２の右側面に該当する。従って、当該左側の装着ユニット２０については、垂直延設部４５は、鉛直部４３の右辺から前方に延設されている。右側の装着ユニット２０については、垂直延設部４５の延設位置が左右対称に逆となり、右側の支柱１２の左側面である内側面１２ｂ（図１参照）に当接、固定されることになる。
【００５３】
そして、装着ユニット２０を支柱１２の背面１２ａ及び内側面１２ｂに当接させた状態で、鉛直部４３、垂直延設部４５の各締結穴を介して、支柱１２にドリルで下穴を穿設する。そして、穿設した下穴に対して、各締結穴を介して、木ネジ（タッピンネジ）４１を螺合する。これにより、まず、介装金具４０が楽器本体１０に固定される。
【００５４】
その後、楽器本体１０に固定された介装金具４０に対して、装着ユニット２０の取付部２５、２６を複数のボルト４２で固定する工程は、第２の実施の形態と同様である。
【００５５】
本実施の形態によれば、第２の実施の形態と同様の効果を奏することができる。
【００５６】
（第４の実施の形態）
図７（ａ）、（ｂ）は、本発明の第４の実施の形態に係る転倒防止装置の分解側面図、側面図である。図８（ａ）は、同転倒防止装置の背面図である。図８（ｂ）は、図８（ａ）のＢ−Ｂ線に沿う断面図である。
【００５７】
第２の実施の形態では、介装金具４０を支柱１２の背面１２ａと大土台１４の下面１４ｂとに固定したが、第４の実施の形態では、支柱１２の背面１２ａと大土台１４の背面１４ａに固定する。ただし、大土台１４に大土台化粧板が取り付けられている場合は大土台化粧板の背面に固定し、背面１４ａに対しては間接的に固定されることになる。従って、介装金具４０の構成が第２の実施の形態のものとは異なる。また、本実施の形態における装着ユニット２０は、第２の実施の形態のものに対して異なる。本実施の形態では、左右の装着ユニット２０は、左右対称に構成される。図７、図８では、奏者から見て左側の装着ユニット２０が示されている。
【００５８】
図９（ａ）〜（ｄ）は、介装金具４０の側面図、背面図、装着ユニット２０の側面図、背面図である。
【００５９】
図９（ａ）、（ｂ）に示すように、介装金具４０は、金属で一体に形成され、鉛直部４９と、鉛直部４９の下部から左右方向内方（図９（ｂ）に示す左側の介装金具４０では奏者から見て右方）に延設される垂直延設部４６とを有し、背面視でＬ字状に構成される。鉛直部４９、垂直延設部４６にはそれぞれ、締結穴２８、雌ねじ４７がそれぞれ複数形成される。
【００６０】
図８（ｂ）、図９（ｃ）、（ｄ）に示すように、装着ユニット２０は、第２の実施の形態におけるものと同様に縦棒部２１、上側水平部２２及び下側水平部２３を有する。それに加えて、下側水平部２３の下方にＬ字補強棒５０が設けられ、リブ２４はない。Ｌ字補強棒５０は、パイプ状の金属管を屈曲形成して構成され、前後方向に延在する前後水平部５１と左右方向に延在する左右水平部５２とを有して、上面視でＬ字状に形成される。
【００６１】
前後水平部５１の前端部に取付部２５、２６と平行な取付部５３が溶接により固定され、左右水平部５２の端部が、縦棒部２１の下部２１ｂの、取付部２７より上の位置に溶接により固定されている（図８（ｂ））。取付部２５、２６、５３には、ボルト４２が挿通される締結穴４８が複数形成されている（図９（ｄ））。装着ユニット２０におけるその他の部分の構成は第２の実施の形態のものと同じである。
【００６２】
装着ユニット２０を装着するに際し、介装金具４０を先に支柱１２及び大土台１４に固定する。図７（ａ）、（ｂ）に示すように、介装金具４０の鉛直部４９の前面を支柱１２の背面１２ａに当接させると共に、垂直延設部４６の前面を大土台１４の背面１４ａ（大土台化粧板の背面）に当接させる。
【００６３】
この状態で、鉛直部４９、垂直延設部４６の各締結穴２８を介して、支柱１２及び大土台１４にドリルで下穴を穿設する。そして、穿設した下穴に対して、各締結穴２８を介して、木ネジ（タッピンネジ）４１を螺合する。これにより、まず、介装金具４０が楽器本体１０に固定される。
【００６４】
次に、楽器本体１０に固定された介装金具４０に対して、装着ユニット２０の取付部２５、２６、５３を複数のボルト４２で固定する。その際、各締結穴４８を介してボルト４２を雌ねじ４７に螺合する。これにより、装着ユニット２０が介装金具４０を介して楽器本体１０に固定される（図７（ｂ）、図８）。
【００６５】
本実施の形態によれば、第２の実施の形態と同様の効果を奏することができる。特に、取付部２６と取付部５３とでは、楽器本体１０に対する取り付け位置が、左右方向及び前後方向の双方において異なっているので、左右方向及び前後方向への付勢力に対して強度及び耐久性を高めることができる。
【００６６】
ところで、左右方向または前後方向への付勢力に対する強度を高める観点からは、下側水平部２３とＬ字補強棒５０との楽器本体１０に対する取り付け位置が異なっていればよい。従って、Ｌ字補強棒５０は上面視でＬ字状であることは必須でなく、例えば、下側水平部２３とは非平行に縦棒部２１の下部２１ｂから楽器本体１０の取り付け位置まで上面視で斜めに延在させてもよい。
【００６７】
ところで、本実施の形態では装着ユニット２０にＬ字補強棒５０を設けたが、この場合でも、介装金具４０を廃止して、第１の実施の形態と同様に楽器本体１０（支柱１２及び大土台１４）に対して装着ユニット２０を直接取り付け固定するようにしてもよい。
【００６８】
ところで、介装金具４０については、第２、第３の実施の形態で示した構成を組み合わせてもよい。すなわち、水平延設部４４と垂直延設部４５とを共に備える構成としてもよい。それにより、楽器本体１０に対する介装金具４０の位置決めが容易となる。また、第４の実施の形態で使用したＬ字補強棒５０を、第２の実施の形態及び／又は第３の実施の形態に適用してもよい。
【００６９】
なお、第２〜第４の実施の形態において、介装金具４０はいずれも一体に形成された。しかし、これに限るものではなく、装着ユニット２０の各取付部２５、２６、５３に対応させて個々に設けてもよい。
【００７０】
ところで、楽器本体１０に装着ユニット２０を装着した状態で、双輪キャスタ２９は厳密に床面１６に当接していることは必須でない。僅かに浮いていたとしても、双輪キャスタ２９は、転倒防止及び運搬時における移動補助の役割を果たす。
【００７１】
装着ユニット２０乃至介装金具４０を固定する箇所は、楽器本体１０の背部１０ａの左部及び右部における強固な部位であればよく、必ずしも支柱１２や大土台１４に限られるものではない。また、装着ユニット２０や介装金具４０の素材は問わず、頑丈なものであればよい。
【００７２】
装着ユニット２０を補強するために、上側水平部２２と下側水平部２３との間に、前後方向に延在する水平部を追加してもよい。また、左右の装着ユニット２０同士を連結する部材を設けてもよい。
【００７３】
装着状態の装着ユニット２０において、縦棒部２１は、鉛直方向の成分を含む方向に延在すればよく、厳密に鉛直方向に沿っていることは必須でない。
【００７４】
なお、転倒防止と運搬容易化の観点に限れば、左右の装着ユニット２０は左右対称でなくてもよい。例えば、一方については上記各実施の形態で説明した各種の構成とするが、他方については、キャスタ付きで楽器本体１０に取り付け可能な構成であればよい。従って、上記した特許文献１の転倒防止装置と同様に背の低いキャスタ付きの構成としてもよい。その場合、上記他方については、例えば、上側水平部２２を廃止し、縦棒部２１の下半部、下側水平部２３及び双輪キャスタ２９を最低限設けて構成する。
【符号の説明】
【００７５】
１０  楽器本体、  １２  支柱、  １２ａ  背面、  １２ｂ  内側面、  １４  大土台、  １４ａ  背面、  １４ｂ  下面、  １５  キャスタ（楽器側キャスタ）、  １６  床面、  ２０  装着ユニット（第１、第２の装置）、  ２１  縦棒部、  ２１ａ  上部、  ２１ｂ  下部、  ２２  上側水平部、  ２２ｂ  後部（他端部）、  ２２ａ  前端部（一端部）、  ２３  下側水平部、  ２３ａ  前端部（一端部）、  ２３ｂ  後部（他端部）、  ２５  取付部（上側取付部）、  ２６  取付部（下側取付部）、  ２９  双輪キャスタ（装置側キャスタ）、  ４０  介装金具（介装部材）、  ５０  Ｌ字補強棒（補強棒）、  ５３  取付部（補強棒取付部）、  Ｒ  湾曲部（連結部）、  Ｇ  重心
【図１】
0005652119.tif 000002
【図２】
0005652119.tif 000003
【図３】
0005652119.tif 000004
【図４】
0005652119.tif 000005
【図５】
0005652119.tif 000006
【図６】
0005652119.tif 000007
【図７】
0005652119.tif 000008
【図８】
0005652119.tif 000009
【図９】
0005652119.tif 000010